(57)【要約】      （修正有）【課題】立体的でインパクトのある印象を見る者に与えるとともに、趣向性に富んだ表示プレート及び表示プレートを利用した置物を提供する。【解決手段】表示プレートは、合成樹脂板にレーザ彫刻を施し、輪郭を切り抜いて形成された被写体イメージ部と、上記被写体イメージ部が固定された基板部とを備える。物置は、表示プレートと背景プレートが内部に設置され、前面開口部を有する。【選択図】図２
0003178026.tif 000002
【実用新案登録請求の範囲】
【請求項１】
合成樹脂板にレーザ彫刻を施し、輪郭を切り抜いて形成された被写体イメージ部と、上記被写体イメージ部が固定された基板部とを備えたことを特徴とする表示プレート。  
【請求項２】
上記被写体イメージ部は撮影された人物であることを特徴とする請求項１記載の表示プレート。
【請求項３】
上記基板部の下端部には脚部が設けられ、所定の平面上に基板部を立設できるように構成されていることを特徴とする請求項３記載の表示プレート。
【請求項４】
上記基板部の周縁部には、上記被写体イメージ部を包囲する縁取となる枠フレーム部が設けられていると共に、上記被写体イメージ部は枠フレーム部よりも厚さ方向前方へ突出して配設されていることを特徴とする請求項１記載の表示プレート。
【請求項５】
全体中空箱状に形成され、合成樹脂板にレーザ彫刻を施し、輪郭を切り抜いて形成された被写体イメージ部及び上記被写体イメージ部が固定された透明な基板部を有する表示プレートと、上記表示プレートの裏面側に配置され、上記被写体イメージ部の背景となる背景部が表示された背景プレートとが内部に配置され、上記被写体イメージ部及び背景部を視認しうる前面開口部と、上記表示プレート及び背景プレートを内部に挿入配置又は撤去しうる開口部を備えたことを特徴とする表示プレートを利用した置物。
【請求項６】
上記開口部は上面部に形成されていることを特徴とする請求項４記載の表示プレートを利用した置物。
【請求項７】
上記開口部は有色透明な蓋部材により開閉可能に被覆されていることを特徴とする請求項６記載の置物。
【考案の詳細な説明】
【技術分野】
【０００１】
本考案は、置物の改良に関する。
【背景技術】
【０００２】
従来から、写真立てや額縁に入れられた形で、店内、オフィス内、家庭内等において飾られている写真や絵等の置物は、２次元的表現に止まっており、立体感がなく、趣向性に欠けるという不具合があった。
【０００３】
この点、人物や動物等のスナップ写真を貼付又は印刷した写真パネルを電光走査して人物や動物の絵柄輪郭線を抽出し、レーザー切断機で微細な絵柄輪郭線に忠実に背景を切除することで、被写体のイメージを際立たせることができる写真パネルを形成し、立体的でインパクトのある印象を見る者に与えることができる発明が開示されている（特許文献１）。
【０００４】
しかしながら、写真パネルのみでは置物としては、簡素な作りとなってしまい、記念品等として用いられることが多い置物としては印象に残り難くなるため、依然として趣向性に欠けるという不具合がある。
【特許文献１】特開２０１１−８３２９９号公報
【考案の開示】
【考案が解決しようとする課題】
【０００５】
そこで、本考案の課題は、立体的でインパクトのある印象を見る者に与えるとともに、趣向性に富んだ表示プレート及び表示プレートを利用した置物を提供することにある。
【課題を解決するための手段】
【０００６】
上記課題を解決するために、請求項１に記載された考案に係る表示プレートは、合成樹脂板にレーザ彫刻を施し、輪郭を切り抜いて形成された被写体イメージ部と、上記被写体イメージ部が固定された基板部とを備えたことを特徴とする。
【０００７】
また、請求項２記載の考案に係る表示プレートにおいては、上記被写体イメージ部は撮影された人物像であることを特徴とする。
【０００８】
また、請求項３記載の考案に係る表示プレートにおいては、上記基板部の下端部には脚
部が設けられ、所定の平面上に基板部を立設できるように構成されていることを特徴とす
る。
また、請求項４記載の考案に係る表示プレートにおいては、上記基板部の周縁部には、上記被写体イメージ部を包囲する縁取となる枠フレーム部が設けられていると共に、上記被写体イメージ部は枠フレーム部よりも厚さ方向前方へ突出して配設されていることを特徴とする。
【０００９】
また、請求項５記載の考案に係る表示プレートを利用した置物においては、全体中空箱状に形成され、合成樹脂板にレーザ彫刻を施し、輪郭を切り抜いて形成された被写体イメージ部及び上記被写体イメージ部が固定された透明な基板部を有する表示プレートと、上記表示プレートの裏面側に配置され、上記被写体イメージ部の背景となる背景部が表示された背景プレートとが内部に配置され、上記被写体イメージ部及び背景部を視認しうる前面開口部と、上記表示プレート及び背景プレートを内部に挿入配置又は撤去しうる開口部を備えたことを特徴とする。
【００１０】
また、請求項６記載の考案に係る表示プレートを利用した置物においては、上記開口部
は上面部に形成されていることを特徴とする。
また、請求項７記載の考案に係る表示プレートを利用した置物においては、上記開口部は有色透明な蓋部材により開閉可能に被覆されていることを特徴とする。
【考案の効果】
【００１１】
請求項１記載の考案にあっては、合成樹脂板にレーザ彫刻を施し、輪郭を切り抜いて形成された被写体イメージ部と、上記被写体イメージ部が固定された基板部とを備えていることから、被写体イメージ部が上記基板部から膨出して設けられ、立体的でインパクトのある印象を見る者に与えるとともに、基板部には種種のメッセージ等を表示することができ、趣向性に富んだ表示プレートを提供することができる。
【００１２】
請求項２記載の考案にあっては、人物を撮影して上記被写体イメージ部とすることができるため、人物像が基板部から膨出して形成された被写体イメージ部を構成して、印象の強い表示プレートを提供することができる。
請求項３記載の考案にあっては、上記枠プレートの下端部には脚部が設けられ、所定の平面上に基板部を立設できるように構成されていることから、机、棚等の上面に、基板部を立設した状態で安定して配置でき、所望の場所に設置して被写体イメージ部を視認して楽しむことができる。
請求項４記載の考案にあっては、上記基板部の周縁部には、上記被写体イメージ部を包囲する縁取となる枠フレーム部が設けられていることから、上記枠フレーム部により被写体イメージ部を含む基板部が強調され、また、上記被写体イメージ部は枠フレーム部よりも厚さ方向前方へ突出して配設されていることから、被写体イメージ部が浮き出て、立体的に見え、見る者に迫力を持った印象を醸し出すことができる。
【００１３】
請求項５記載の考案にあっては、全体中空箱状に形成され、合成樹脂板にレーザ彫刻を施し、輪郭を切り抜いて形成された被写体イメージ部及び上記被写体イメージ部が固定された透明な基板部を有する表示プレートと、上記表示プレートの裏面側に配置され、上記被写体イメージ部の背景となる背景部が表示された背景プレートとが内部に配置され、上記被写体イメージ部及び背景部を視認しうる前面開口部と、上記表示プレート及び背景プレートを内部に挿入配置又は撤去しうる開口部を備えていることから、上記表示プレートと背景プレートとを前後にずらして配置することができ、表示プレートの透明な基板部からは、背景プレートの背景部が視認され、立体的表現が可能となる。また、上記表示プレートあるいは上記背景プレートを入れ替えることにより、上記表示プレートと上記背景プレートとの様々な組み合わせが可能となる。
【００１４】
その結果、立体的でインパクトのある印象を見る者に与えるとともに、趣向性に富んだ表示プレートを利用した置物を提供することができる。
請求項７記載の考案にあっては、上記開口部は有色透明な蓋部材により開閉可能に被覆されていることから、太陽光や、室内の蛍光灯等の光が上記蓋部材に照射された場合、蓋部材に付された色彩が、上記表示プレート及び背景プレートに照射されることから、表示プレート及び背景プレートが、蓋部材の色により鮮やかに浮き上がり、より大きな視覚的効果を得ることができる。
【図面の簡単な説明】
【００１５】
【図１】本考案に係る表示プレートの第一の実施の形態を示し、実施の形態における表示プレートを示す正面図である。
【図２】本考案に係る表示プレートの第一の実施の形態を示し、実施の形態における表示プレートを示す斜視図である。
【図３】本考案に係る表示プレートを利用した置物の第二の実施の形態を示し、実施の形態における表示プレートを利用した置物の斜視図であり、開口部から表示プレート及び背景プレートを挿入・配置する状態を模式的に表した図である。
【図４】本考案に係る表示プレートを利用した置物の第二の実施の形態を示し、実施の形態における表示プレートを利用した置物の斜視図であり、開口部を蓋部により閉鎖する状態を模式的に表した図である。
【図５】本考案に係る表示プレートを利用した置物の第二の実施の形態を示し、実施の形態における表示プレートを利用した置物の斜視図であり、表示プレート及び背景プレートが配置され、開放部が閉鎖されている状態を示す図である。
【考案を実施するための最良の形態】
【００１６】
以下、添付図面に示す実施の形態に基づき、本考案に係る表示プレート及び表示プレートを利用した置物を詳述する。
図１及び図２は本考案に係る表示プレートの第一の実施の形態に係る表示プレート１０を示す。
【００１７】
図１及び図２に示すように、本実施の形態に係る表示プレート１０は、合成樹脂板にレーザー彫刻を施し輪郭を切り抜いて形成された被写体イメージ部１１と、上記被写体イメージ部１１が固定された基板部１２とを有しており、基板部１２は横長長方形状に形成され、有色のアクリル樹脂板からなる。
【００１８】
図１及び図２に示すように、上記基板部１２の周縁部には、上記被写体イメージ部１１及び後述の文字部１８を包囲する縁取となる、同様に横長長方形状の枠フレーム部１３が設けられている。この枠フレーム部１３は、透明な合成樹脂により形成され、表面には花模様１９が連続して表面側に表示されるように設けられている。
枠フレーム部１３は上方隅部１５ａ、１５及び下方隅部１５ｃ、１５ｄは接着により基板部１２に固定されている。また、枠フレーム部１３の下方両端部には、一対の脚部１７、１７が設けられ、枠フレーム部１３及び基板部１２を厚さ方向に貫通して配設されている。
【００１９】
被写体イメージ部１１は、本実施の形態にあっては、やや側方から写真撮影された子供の人物像により形成され、子供の胸部から上および頭部からなる写真をベースにしてレーザー彫刻により作成されている。上記被写体イメージ部１１は、所定の厚さ寸法を有する板状に形成され、レーザー彫刻処理であることから、髪の毛等の微細な輪郭についても忠実に再現されている。
【００２０】  被写体イメージ部１１は、３つの支持柱部１４、１４、１４により、基板部１２の一般面に対して平行に固定され、基板部１２の一般面よりも厚さ方向前方に突出して配設されている。なお、被写体イメージ部１１は、人物像に限定されず、動物又は風景等の撮影画像であってもよい。  また、図１及び図２に示すように、本実施の形態にあっては、基板部１２の長さ方向の一端部下方に被写体イメージ部１１が固定され、基板部１２の枠体フレーム部１３により囲まれた、被写体イメージ部１１以外の余白部には、被写体となった子供の自筆の文字「だいくさんになりたい」、子供の名前「（公序良俗違反につき、不掲載」及び「（公序良俗違反につき、不掲載）幼稚園  平成２３年度卒園記念」からなる文字部１８が、同様にレーザー彫刻処理により刻設表示されている。【００２１】
図２に示すように、基板部１２の下方両端部には一対の脚部１７、１７が枠フレーム部１３を厚さ方向に貫通して設けられている。脚部１７、１７は、円筒状部材により形成され、基板部１２の背面側に長さ寸法が大きく突出して設けられることにより、脚部１７、１７の後端部と基板部１２の下縁部とにより、机、テーブル等の適宜の載置面上に、基板部１２が所定角度を以って傾斜した状態で立設した置かれるように構成されている。
【００２２】
以下、添付図面に示す第一の実施の形態に基づき、本考案に係る表示プレートの作用
について説明する。
【００２３】
図１及び図２に示すように、本実施の形態に係る表示プレート１０は、基板部１２に、所定の厚さ寸法を有する上記被写体イメージ部１１が、基板部１２から前方に突出して配置され、上記被写体イメージ部１１が、基板部１２から浮き出て視認され、迫力のある被写体イメージ１１を観る者に提供することができる。
【００２４】
また、基板部１２は有色のアクリル樹脂板により形成されており、枠フレーム部１３は透明であって、表面部には花模様１９が連続して表示されていることから、枠フレーム部１３は基板部１２の装飾部として機能する。
被写体イメージ部１１はアクリル板をレーザー彫刻処理することにより輪郭部を形成していることから、輪郭部は白色となり、所定の色が付された基板部１２の表面側に浮き出ることとなり、見る者に鮮烈な印象を与える。
また、余白部には被写体となった子供が書いた自筆の文字、名前及び、幼稚園等の卒業年度が表示されることから、特に、親、兄弟、親族等の見る者に対して、想い出で深く、かつ深い印象与えることができる。
【００２５】
その結果、立体的でインパクトのある印象を見る者に与えるとともに、趣向性に富んだ表示プレートを提供することができる。
【００２６】
また、図１及び図２に示すように、脚部１７、１７が表示プレート１０の両端に設けられていることから、表示プレート１０を立設状態にすることができるため、置物として使用することができる。
【００２７】
図３は本考案に係る表示プレート及び表示プレートを利用した置物の第二の実施の形態を示す。上記第一の実施の形態に係る表示プレート１０と同一の構成部分は同一符号を付してその説明を省略する。
【００２８】
図３に示すように、本実施の形態に係る表示プレートを利用した置物２０は、全体中空箱状に形成され、上記被写体イメージ部１１及び上記被写体イメージ部１１が固定された透明な基板部２１を有する表示プレート２２と、上記表示プレート２２の裏面側に配置され、上記被写体イメージ部１１の背景となる背景部２３が表示された背景プレート２４とが内部に配置され、上記被写体イメージ部１１及び背景部２３を視認しうる前面開口部２５と、上記表示プレート２２及び背景プレート２４を内部に挿入・配置又は撤去しうる上部開口部２６を備えている。
【００２９】
図３乃至図５に示すように、本実施の形態に係る表示プレートを利用した置物２０は、略横長直方体箱状に形成されている。
【００３０】
図３及び図５に示すように、上記置物２０の内部には、上記表示プレート２２及び背景プレート２４を配置しうる、互いに平行に形成されたコ字状のプレート配置溝部２７ａ、２７ｂ、２７ｃが、厚さ方向に沿って設けられ、これらんコ字状のプレート配置溝部２７ａ、２７ｂ、２７ｃによりプレート配置部２７を構成している。
上記表示プレート２２及び背景プレート２４の幅寸法は、上記のプレート配置溝部２７ａ、２７ｂ、２７ｃの幅寸法及び高さ寸法と略同一に形成されている。
【００３１】
図３及び図４に示すように、プレート配置部２７ａ、２７ｂ、２７ｃは、置物２０の側面部２８、底面部２９、及び、側面部３０の、夫々、内部に形成された直線状の溝部３１により形成されている。
【００３２】
プレート配置溝部２７ａ、２７ｂ、２７ｃの幅寸法と、上記表示プレート２２及び背景プレート２４の厚さ寸法とは、略同一に形成され、上記表示プレート２２及び背景プレート２４を、上記上部開口部２６から挿入して上記プレート配置部２７ａ、２７ｂ、２７ｃ内に配置するように構成されている。
【００３３】
本実施の形態にあっては、上記表示プレート２２を前部側のプレート配置部２７ａに配置させると共に、背景プレート２４を中間部のプレート配置部２７ｂに配置させる。
【００３４】
図４に示すように、上記置物２０は、上記開口部２６を閉鎖しうる蓋部３３を備えており、上記蓋部３３が、上記側面部２８及び側面部３０に一対に形成された溝部４０、４０に配置されることで、上記開口部２６を閉鎖することができるように形成されている。
【００３５】
図３及び図４に示すように、上記溝部４０、４０は、上記側面部２８及び側面部３０の内面の上端部３４に、置物２０の厚さ方向に平行な直線形状で設けられている。
【００３６】
図３及び図４に示すように、上記溝部４０、４０は、上記プレート配置部２７a、プレート配置部２７b、及び、プレート配置部２７cと直行するように設けられている。
【００３７】
図４に示すように、上記蓋部３３は、把持部３８と、上記把持部３８に直行するように形成された蓋本体部３９とにより構成されており、横断面T字状に形成されている。
上記蓋本体部３９は樹脂プレートにより形成され、上記把持部３８は、木材により形成されている。上記蓋部本体３９は、透明な素材により形成され、適宜の色彩が着色されている。
【００３８】
図３及び図４に示すように、上記全体中空箱状の置物２０の背面部４２は、上記側面部２８、側面部３０、及び、前面部３５の高さ寸法よりも低く形成されており、蓋部３３を溝部４０、４０に完全に嵌合させ、上記背面部４２に蓋部３３の把持部３８が配置されることで、上記側面部２８、側面部３０、及び、前面部３５の高さ寸法と、上記背面部４２の高さ寸法とが同一となる構成となっている。
【００３９】
図３に示す全体中空箱状の置物２０には、上記蓋部３３が配置されておらず、解放されている開口部２６から上記表示プレート２２及び背景プレート２４を内部に挿入配置する状態を示している。図４に示す全体中空箱状の置物２０には、上記表示プレート２２及び背景プレート２４を内部に挿入配置されておらず、上記蓋部３３を溝部４０、４０に配置する状態を示している。図５に示す全体中空箱状の置物２０には、上記表示プレート２２及び背景プレート２４を内部に挿入配置されており、かつ、上記蓋部３３が溝部４０、４０に配置されており、開口部２６が閉鎖されている状態を示している。
【００４０】
図３乃至図５に示すように、上記前面部３５の一般面４３の下端部３６中央には、上記置物２０の題名を表示しうる題名表示部３７が設けられている。図３乃至図５に示すように、上記前面部３５の一般面４３と、前面開口部２５との間には、段差部４１が設けられている。
【００４１】
図３乃至図５に示すように、上記前面部３５の一般面４３と、上記前面開口部２５は、四角形状で前面部３５の中央に設けられ、前面部３５の周囲には、段差部４１が設けられ、段差部４１の周囲には、一般面４３が設けられている。
【００４２】
図３及び図５に示すように、本実施の形態に係る表示プレートを利用した置物２０においては、上記表示プレート２２の透明な基板部２１には、写真により撮影された人物像がレーザー彫刻された被写体イメージ部１１が貼付され、上記背景プレート２４の背景部２３には、被写体となった人物が描いた絵が表示されている。
【００４３】
以下、添付図面に示す第二の実施の形態に基づき、本考案に係る表示プレートを利用した置物２０の作用について説明する。
【００４４】
図３に示すように、本実施の形態に係る表示プレートを利用した置物２０は、プレート配置部２７に上記表示プレート２２及び背景プレート２４を配置し、使用する。本実施の形態においては、プレート配置部２７aに上記表示プレート２２を、プレート配置部２７bに背景プレート２４を配置している。なお、本実施の形態に係る表示プレートを利用した置物２０においては、プレート配置部２７cに、表示プレート２２又は背景プレート２４を配置していないが、プレート配置部２７cに、表示プレート２２又は背景プレート２４を配置することができることは言うまでもない。
【００４５】
開口部２６を閉鎖する場合には、把持部３８を手で持ち、図４に示すように、蓋部３３の蓋本体部３９を溝部４０、４０に嵌合させた状態で、置物２０の前面部３５方向(矢印方向)にスライドさせる。蓋部３３を溝部４０、４０に完全に嵌合させると、開口部２６を蓋本体部３９が閉鎖するとともに、把持部３８が背面部４２の上に配置された状態となり、完全な横長直方体の置物が形成される。開口部２６を閉鎖することにより、置物２０の内部に埃等が蓄積することを防止することができる。
【００４６】
図５に示すように、本実施の形態に係る表示プレートを利用した置物２０は、プレート配置部２７aに上記表示プレート２２を、プレート配置部２７bに背景プレート２４を配置しており、表示プレート２２と背景プレート２４との位置を前後にずらすことができ、表示プレートの透明な基板部２１からは、背景プレート２４の背景部２３が視認することができ、立体的な表現が可能となる。また、上記プレート配置部２７に配置される表示プレート２２または背景プレート２４を入れ替えることにより、上記表示プレート２２と上記背景プレート２４との様々な組み合わせが可能となる。
その結果、立体的でインパクトのある印象を見る者に与えるとともに、趣向性に富んだ置物を提供することができる。
【００４７】
図５に示すように、本実施の形態に係る表示プレートを利用した置物２０においては、上記表示プレート２２の透明な基板部２１には、写真により撮影された人物像がレーザー彫刻された被写体イメージ部１１が貼付され、上記背景プレート２４の背景部２３には、被写体となった人物が描いた絵が表示されていることから、記念品等として、より印象に残る置物を提供できる。なお、上記表示プレート２２及び背景プレート２４に文字を表示する構成としても良い。
【００４８】
また、上記蓋部本体３９は、透明な素材により形成され、適宜の色彩が着色されていることから、太陽光や、室内の蛍光灯等の光が上記蓋部材に照射された場合、蓋部材に付された色彩が、上記表示プレート及び背景プレートに照射されることから、表示プレート及び背景プレートが蓋部材の色により、鮮やかに浮き上がり、より大きな視覚的効果を得ることができる。
上記置物２０から、表示プレート２２または背景プレート２４を撤去する場合には、図４に示すように、置物２０の背面部３５方向にスライドさせ、開口部２６を開口させる。その後に、表示プレート２２または背景プレート２４を、置物２０の上面部３２方向に引き抜くことで、表示プレート２２または背景プレート２４を撤去することができる。
【００４９】
上記題名表示部３７には、置物のタイトルを表示することができ、記念品等として、より印象に残る置物を提供できる。
【産業上の利用可能性】
【００５０】
本製品は、写真立て、記念楯等の置物に適用可能である。
【符号の説明】
【００５１】
１０  第一の実施の形態における表示プレート
１１  被写体イメージ部
１２  基板部
１３  枠フレーム部
１４  支持柱部
１５a 上方隅部
１５b 上方隅部
１５c 下方隅部
１５d 下方隅部
１６  下端部
１７  脚部
１８  文字
１９  花模様
２０  第二の実施の形態における置物
２１  透明な基板部
２２  表示プレート
２３  背景部
２４  背景プレート
２５  前面開口部
２６  開口部
２７  プレート配置部
２７a  プレート配置部
２７b  プレート配置部
２７c  プレート配置部
２８  側面部
２９  底面部
３０  側面部
３１  溝部
３２  上面部
３３  蓋部
３４  上端部
３５  前面部
３６  下端部
３７  題名表示部
３８  把持部
３９  蓋本体部
４０  溝部
４１  段差部
４２  背面部
４３  一般面
４４  置物本体
【図１】
0003178026.tif 000003
【図２】
0003178026.tif 000004
【図３】
0003178026.tif 000005
【図４】
0003178026.tif 000006
【図５】
0003178026.tif 000007
【手続補正書】
【提出日】平成24年7月4日(2012.7.4)
【手続補正１】
【補正対象書類名】実用新案登録請求の範囲
【補正対象項目名】全文
【補正方法】変更
【補正の内容】
【実用新案登録請求の範囲】
【請求項１】
合成樹脂板にレーザ彫刻を施し、輪郭を切り抜いて形成された被写体イメージ部と、上記被写体イメージ部が固定された基板部とを備えたことを特徴とする表示プレート。  
【請求項２】
上記被写体イメージ部は撮影された人物であることを特徴とする請求項１記載の表示プレート。
【請求項３】
上記基板部の下端部には脚部が設けられ、所定の平面上に基板部を立設できるように構成されていることを特徴とする請求項１記載の表示プレート。
【請求項４】
上記基板部の周縁部には、上記被写体イメージ部を包囲する縁取となる枠フレーム部が設けられていると共に、上記被写体イメージ部は枠フレーム部よりも厚さ方向前方へ突出して配設されていることを特徴とする請求項１記載の表示プレート。
【請求項５】
全体中空箱状に形成され、合成樹脂板にレーザ彫刻を施し、輪郭を切り抜いて形成された被写体イメージ部及び上記被写体イメージ部が固定された透明な基板部を有する表示プレートと、上記表示プレートの裏面側に配置され、上記被写体イメージ部の背景となる背景部が表示された背景プレートとが内部に配置され、上記被写体イメージ部及び背景部を視認しうる前面開口部と、上記表示プレート及び背景プレートを内部に挿入配置又は撤去しうる開口部を備えたことを特徴とする置物。
【請求項６】
上記開口部は上面部に形成されていることを特徴とする請求項５記載の置物。
【請求項７】
上記開口部は有色透明な蓋部材により開閉可能に被覆されていることを特徴とする請求項６記載の置物。
【手続補正２】
【補正対象書類名】明細書
【補正対象項目名】全文
【補正方法】変更
【補正の内容】
【考案の詳細な説明】
【技術分野】
【０００１】
本考案は、置物の改良に関する。
【背景技術】
【０００２】
従来から、写真立てや額縁に入れられた形で、店内、オフィス内、家庭内等において飾られている写真や絵等の置物は、２次元的表現に止まっており、立体感がなく、趣向性に欠けるという不具合があった。
【０００３】
この点、人物や動物等のスナップ写真を貼付又は印刷した写真パネルを電光走査して人物や動物の絵柄輪郭線を抽出し、レーザー切断機で微細な絵柄輪郭線に忠実に背景を切除することで、被写体のイメージを際立たせることができる写真パネルを形成し、立体的でインパクトのある印象を見る者に与えることができる発明が開示されている（特許文献１）。
【０００４】
しかしながら、写真パネルのみでは置物としては、簡素な作りとなってしまい、記念品等として用いられることが多い置物としては印象に残り難くなるため、依然として趣向性に欠けるという不具合がある。
【特許文献１】特開２０１１−８３２９９号公報
【考案の開示】
【考案が解決しようとする課題】
【０００５】
そこで、本考案の課題は、立体的でインパクトのある印象を見る者に与えるとともに、趣向性に富んだ表示プレート及び表示プレートを利用した置物を提供することにある。
【課題を解決するための手段】
【０００６】
上記課題を解決するために、請求項１に記載された考案に係る表示プレートは、合成樹脂板にレーザ彫刻を施し、輪郭を切り抜いて形成された被写体イメージ部と、上記被写体イメージ部が固定された基板部とを備えたことを特徴とする。
【０００７】
また、請求項２記載の考案に係る表示プレートにおいては、上記被写体イメージ部は撮影された人物像であることを特徴とする。
【０００８】
また、請求項３記載の考案に係る表示プレートにおいては、上記基板部の下端部には脚部が設けられ、所定の平面上に基板部を立設できるように構成されていることを特徴とす
る。
また、請求項４記載の考案に係る表示プレートにおいては、上記基板部の周縁部には、上記被写体イメージ部を包囲する縁取となる枠フレーム部が設けられていると共に、上記被写体イメージ部は枠フレーム部よりも厚さ方向前方へ突出して配設されていることを特徴とする。
【０００９】
また、請求項５記載の考案に係る置物においては、全体中空箱状に形成され、合成樹脂板にレーザ彫刻を施し、輪郭を切り抜いて形成された被写体イメージ部及び上記被写体イメージ部が固定された透明な基板部を有する表示プレートと、上記表示プレートの裏面側に配置され、上記被写体イメージ部の背景となる背景部が表示された背景プレートとが内部に配置され、上記被写体イメージ部及び背景部を視認しうる前面開口部と、上記表示プレート及び背景プレートを内部に挿入配置又は撤去しうる開口部を備えたことを特徴とする。
【００１０】
また、請求項６記載の考案に係る置物においては、上記開口部は上面部に形成されていることを特徴とする。
また、請求項７記載の考案に係る置物においては、上記開口部は有色透明な蓋部材により開閉可能に被覆されていることを特徴とする。
【考案の効果】
【００１１】
請求項１記載の考案にあっては、合成樹脂板にレーザ彫刻を施し、輪郭を切り抜いて形成された被写体イメージ部と、上記被写体イメージ部が固定された基板部とを備えていることから、被写体イメージ部が上記基板部から膨出して設けられ、立体的でインパクトのある印象を見る者に与えるとともに、基板部には種種のメッセージ等を表示することができ、趣向性に富んだ表示プレートを提供することができる。
【００１２】
請求項２記載の考案にあっては、人物を撮影して上記被写体イメージ部とすることができるため、人物像が基板部から膨出して形成された被写体イメージ部を構成して、印象の強い表示プレートを提供することができる。
請求項３記載の考案にあっては、上記枠プレートの下端部には脚部が設けられ、所定の平面上に基板部を立設できるように構成されていることから、机、棚等の上面に、基板部を立設した状態で安定して配置でき、所望の場所に設置して被写体イメージ部を視認して楽しむことができる。
請求項４記載の考案にあっては、上記基板部の周縁部には、上記被写体イメージ部を包囲する縁取となる枠フレーム部が設けられていることから、上記枠フレーム部により被写体イメージ部を含む基板部が強調され、また、上記被写体イメージ部は枠フレーム部よりも厚さ方向前方へ突出して配設されていることから、被写体イメージ部が浮き出て、立体的に見え、見る者に迫力を持った印象を醸し出すことができる。
【００１３】
請求項５記載の考案にあっては、全体中空箱状に形成され、合成樹脂板にレーザ彫刻を施し、輪郭を切り抜いて形成された被写体イメージ部及び上記被写体イメージ部が固定された透明な基板部を有する表示プレートと、上記表示プレートの裏面側に配置され、上記被写体イメージ部の背景となる背景部が表示された背景プレートとが内部に配置され、上記被写体イメージ部及び背景部を視認しうる前面開口部と、上記表示プレート及び背景プレートを内部に挿入配置又は撤去しうる開口部を備えていることから、上記表示プレートと背景プレートとを前後にずらして配置することができ、表示プレートの透明な基板部からは、背景プレートの背景部が視認され、立体的表現が可能となる。また、上記表示プレートあるいは上記背景プレートを入れ替えることにより、上記表示プレートと上記背景プレートとの様々な組み合わせが可能となる。
【００１４】
その結果、立体的でインパクトのある印象を見る者に与えるとともに、趣向性に富んだ表示プレートを利用した置物を提供することができる。
請求項７記載の考案にあっては、上記開口部は有色透明な蓋部材により開閉可能に被覆されていることから、太陽光や、室内の蛍光灯等の光が上記蓋部材に照射された場合、蓋部材に付された色彩が、上記表示プレート及び背景プレートに照射されることから、表示プレート及び背景プレートが、蓋部材の色により鮮やかに浮き上がり、より大きな視覚的効果を得ることができる。
【図面の簡単な説明】
【００１５】
【図１】本考案に係る表示プレートの第一の実施の形態を示し、実施の形態における表示プレートを示す正面図である。
【図２】本考案に係る表示プレートの第一の実施の形態を示し、実施の形態における表示プレートを示す斜視図である。
【図３】本考案に係る表示プレートを利用した置物の第二の実施の形態を示し、実施の形態における表示プレートを利用した置物の斜視図であり、開口部から表示プレート及び背景プレートを挿入・配置する状態を模式的に表した図である。
【図４】本考案に係る表示プレートを利用した置物の第二の実施の形態を示し、実施の形態における表示プレートを利用した置物の斜視図であり、開口部を蓋部により閉鎖する状態を模式的に表した図である。
【図５】本考案に係る表示プレートを利用した置物の第二の実施の形態を示し、実施の形態における表示プレートを利用した置物の斜視図であり、表示プレート及び背景プレートが配置され、開放部が閉鎖されている状態を示す図である。
【考案を実施するための最良の形態】
【００１６】
以下、添付図面に示す実施の形態に基づき、本考案に係る表示プレート及び表示プレートを利用した置物を詳述する。
図１及び図２は本考案に係る表示プレートの第一の実施の形態に係る表示プレート１０を示す。
【００１７】
図１及び図２に示すように、本実施の形態に係る表示プレート１０は、合成樹脂板にレーザー彫刻を施し輪郭を切り抜いて形成された被写体イメージ部１１と、上記被写体イメージ部１１が固定された基板部１２とを有しており、基板部１２は横長長方形状に形成され、有色のアクリル樹脂板からなる。
【００１８】
図１及び図２に示すように、上記基板部１２の周縁部には、上記被写体イメージ部１１及び後述の文字部１８を包囲する縁取となる、同様に横長長方形状の枠フレーム部１３が設けられている。この枠フレーム部１３は、透明な合成樹脂により形成され、表面には花模様１９が連続して表面側に表示されるように設けられている。
枠フレーム部１３は上方隅部１５ａ、１５及び下方隅部１５ｃ、１５ｄは接着により基板部１２に固定されている。また、枠フレーム部１３の下方両端部には、一対の脚部１７、１７が設けられ、枠フレーム部１３及び基板部１２を厚さ方向に貫通して配設されている。
【００１９】
被写体イメージ部１１は、本実施の形態にあっては、やや側方から写真撮影された子供の人物像により形成され、子供の胸部から上および頭部からなる写真をベースにしてレーザー彫刻により作成されている。上記被写体イメージ部１１は、所定の厚さ寸法を有する板状に形成され、レーザー彫刻処理であることから、髪の毛等の微細な輪郭についても忠実に再現されている。
【００２０】
被写体イメージ部１１は、３つの支持柱部１４、１４、１４により、基板部１２の一般面に対して平行に固定され、基板部１２の一般面よりも厚さ方向前方に突出して配設されている。なお、被写体イメージ部１１は、人物像に限定されず、動物又は風景等の撮影画像であってもよい。
また、図１及び図２に示すように、本実施の形態にあっては、基板部１２の長さ方向の一端部下方に被写体イメージ部１１が固定され、基板部１２の枠体フレーム部１３により囲まれた、被写体イメージ部１１以外の余白部には、被写体となった子供の自筆の文字「だいくさんになりたい」、子供の名前「△△△△」及び「○○幼稚園  平成２３年度卒園記念」からなる文字部１８が、同様にレーザー彫刻処理により刻設表示されている。
【００２１】
図２に示すように、基板部１２の下方両端部には一対の脚部１７、１７が枠フレーム部１３を厚さ方向に貫通して設けられている。脚部１７、１７は、円筒状部材により形成され、基板部１２の背面側に長さ寸法が大きく突出して設けられることにより、脚部１７、１７の後端部と基板部１２の下縁部とにより、机、テーブル等の適宜の載置面上に、基板部１２が所定角度を以って傾斜した状態で立設した置かれるように構成されている。
【００２２】
以下、添付図面に示す第一の実施の形態に基づき、本考案に係る表示プレートの作用
について説明する。
【００２３】
図１及び図２に示すように、本実施の形態に係る表示プレート１０は、基板部１２に、所定の厚さ寸法を有する上記被写体イメージ部１１が、基板部１２から前方に突出して配置され、上記被写体イメージ部１１が、基板部１２から浮き出て視認され、迫力のある被写体イメージ１１を観る者に提供することができる。
【００２４】
また、基板部１２は有色のアクリル樹脂板により形成されており、枠フレーム部１３は透明であって、表面部には花模様１９が連続して表示されていることから、枠フレーム部１３は基板部１２の装飾部として機能する。
被写体イメージ部１１はアクリル板をレーザー彫刻処理することにより輪郭部を形成していることから、輪郭部は白色となり、所定の色が付された基板部１２の表面側に浮き出ることとなり、見る者に鮮烈な印象を与える。
また、余白部には被写体となった子供が書いた自筆の文字、名前及び、幼稚園等の卒業年度が表示されることから、特に、親、兄弟、親族等の見る者に対して、想い出で深く、かつ深い印象与えることができる。
【００２５】
その結果、立体的でインパクトのある印象を見る者に与えるとともに、趣向性に富んだ表示プレートを提供することができる。
【００２６】
また、図１及び図２に示すように、脚部１７、１７が表示プレート１０の両端に設けられていることから、表示プレート１０を立設状態にすることができるため、置物として使用することができる。
【００２７】
図３は本考案に係る表示プレート及び表示プレートを利用した置物の第二の実施の形態を示す。上記第一の実施の形態に係る表示プレート１０と同一の構成部分は同一符号を付してその説明を省略する。
【００２８】
図３に示すように、本実施の形態に係る表示プレートを利用した置物２０は、全体中空箱状に形成され、上記被写体イメージ部１１及び上記被写体イメージ部１１が固定された透明な基板部２１を有する表示プレート２２と、上記表示プレート２２の裏面側に配置され、上記被写体イメージ部１１の背景となる背景部２３が表示された背景プレート２４とが内部に配置され、上記被写体イメージ部１１及び背景部２３を視認しうる前面開口部２５と、上記表示プレート２２及び背景プレート２４を内部に挿入・配置又は撤去しうる上部開口部２６を備えている。
【００２９】
図３乃至図５に示すように、本実施の形態に係る表示プレートを利用した置物２０は、略横長直方体箱状に形成されている。
【００３０】
図３及び図５に示すように、上記置物２０の内部には、上記表示プレート２２及び背景プレート２４を配置しうる、互いに平行に形成されたコ字状のプレート配置溝部２７ａ、２７ｂ、２７ｃが、厚さ方向に沿って設けられ、これらんコ字状のプレート配置溝部２７ａ、２７ｂ、２７ｃによりプレート配置部２７を構成している。
上記表示プレート２２及び背景プレート２４の幅寸法は、上記のプレート配置溝部２７ａ、２７ｂ、２７ｃの幅寸法及び高さ寸法と略同一に形成されている。
【００３１】
図３及び図４に示すように、プレート配置部２７ａ、２７ｂ、２７ｃは、置物２０の側面部２８、底面部２９、及び、側面部３０の、夫々、内部に形成された直線状の溝部３１により形成されている。
【００３２】
プレート配置溝部２７ａ、２７ｂ、２７ｃの幅寸法と、上記表示プレート２２及び背景プレート２４の厚さ寸法とは、略同一に形成され、上記表示プレート２２及び背景プレート２４を、上記上部開口部２６から挿入して上記プレート配置部２７ａ、２７ｂ、２７ｃ内に配置するように構成されている。
【００３３】
本実施の形態にあっては、上記表示プレート２２を前部側のプレート配置部２７ａに配置させると共に、背景プレート２４を中間部のプレート配置部２７ｂに配置させる。
【００３４】
図４に示すように、上記置物２０は、上記開口部２６を閉鎖しうる蓋部３３を備えており、上記蓋部３３が、上記側面部２８及び側面部３０に一対に形成された溝部４０、４０に配置されることで、上記開口部２６を閉鎖することができるように形成されている。
【００３５】
図３及び図４に示すように、上記溝部４０、４０は、上記側面部２８及び側面部３０の内面の上端部３４に、置物２０の厚さ方向に平行な直線形状で設けられている。
【００３６】
図３及び図４に示すように、上記溝部４０、４０は、上記プレート配置部２７a、プレート配置部２７b、及び、プレート配置部２７cと直行するように設けられている。
【００３７】
図４に示すように、上記蓋部３３は、把持部３８と、上記把持部３８に直行するように形成された蓋本体部３９とにより構成されており、横断面T字状に形成されている。
上記蓋本体部３９は樹脂プレートにより形成され、上記把持部３８は、木材により形成されている。上記蓋部本体３９は、透明な素材により形成され、適宜の色彩が着色されている。
【００３８】
図３及び図４に示すように、上記全体中空箱状の置物２０の背面部４２は、上記側面部２８、側面部３０、及び、前面部３５の高さ寸法よりも低く形成されており、蓋部３３を溝部４０、４０に完全に嵌合させ、上記背面部４２に蓋部３３の把持部３８が配置されることで、上記側面部２８、側面部３０、及び、前面部３５の高さ寸法と、上記背面部４２の高さ寸法とが同一となる構成となっている。
【００３９】
図３に示す全体中空箱状の置物２０には、上記蓋部３３が配置されておらず、解放されている開口部２６から上記表示プレート２２及び背景プレート２４を内部に挿入配置する状態を示している。図４に示す全体中空箱状の置物２０には、上記表示プレート２２及び背景プレート２４を内部に挿入配置されておらず、上記蓋部３３を溝部４０、４０に配置する状態を示している。図５に示す全体中空箱状の置物２０には、上記表示プレート２２及び背景プレート２４を内部に挿入配置されており、かつ、上記蓋部３３が溝部４０、４０に配置されており、開口部２６が閉鎖されている状態を示している。
【００４０】
図３乃至図５に示すように、上記前面部３５の一般面４３の下端部３６中央には、上記置物２０の題名を表示しうる題名表示部３７が設けられている。図３乃至図５に示すように、上記前面部３５の一般面４３と、前面開口部２５との間には、段差部４１が設けられている。
【００４１】
図３乃至図５に示すように、上記前面部３５の一般面４３と、上記前面開口部２５は、四角形状で前面部３５の中央に設けられ、前面部３５の周囲には、段差部４１が設けられ、段差部４１の周囲には、一般面４３が設けられている。
【００４２】
図３及び図５に示すように、本実施の形態に係る表示プレートを利用した置物２０においては、上記表示プレート２２の透明な基板部２１には、写真により撮影された人物像がレーザー彫刻された被写体イメージ部１１が貼付され、上記背景プレート２４の背景部２３には、被写体となった人物が描いた絵が表示されている。
【００４３】
以下、添付図面に示す第二の実施の形態に基づき、本考案に係る表示プレートを利用した置物２０の作用について説明する。
【００４４】
図３に示すように、本実施の形態に係る表示プレートを利用した置物２０は、プレート配置部２７に上記表示プレート２２及び背景プレート２４を配置し、使用する。本実施の形態においては、プレート配置部２７aに上記表示プレート２２を、プレート配置部２７bに背景プレート２４を配置している。なお、本実施の形態に係る表示プレートを利用した置物２０においては、プレート配置部２７cに、表示プレート２２又は背景プレート２４を配置していないが、プレート配置部２７cに、表示プレート２２又は背景プレート２４を配置することができることは言うまでもない。
【００４５】
開口部２６を閉鎖する場合には、把持部３８を手で持ち、図４に示すように、蓋部３３の蓋本体部３９を溝部４０、４０に嵌合させた状態で、置物２０の前面部３５方向(矢印方向)にスライドさせる。蓋部３３を溝部４０、４０に完全に嵌合させると、開口部２６を蓋本体部３９が閉鎖するとともに、把持部３８が背面部４２の上に配置された状態となり、完全な横長直方体の置物が形成される。開口部２６を閉鎖することにより、置物２０の内部に埃等が蓄積することを防止することができる。
【００４６】
図５に示すように、本実施の形態に係る表示プレートを利用した置物２０は、プレート配置部２７aに上記表示プレート２２を、プレート配置部２７bに背景プレート２４を配置しており、表示プレート２２と背景プレート２４との位置を前後にずらすことができ、表示プレートの透明な基板部２１からは、背景プレート２４の背景部２３が視認することができ、立体的な表現が可能となる。また、上記プレート配置部２７に配置される表示プレート２２または背景プレート２４を入れ替えることにより、上記表示プレート２２と上記背景プレート２４との様々な組み合わせが可能となる。
その結果、立体的でインパクトのある印象を見る者に与えるとともに、趣向性に富んだ置物を提供することができる。
【００４７】
図５に示すように、本実施の形態に係る表示プレートを利用した置物２０においては、上記表示プレート２２の透明な基板部２１には、写真により撮影された人物像がレーザー彫刻された被写体イメージ部１１が貼付され、上記背景プレート２４の背景部２３には、被写体となった人物が描いた絵が表示されていることから、記念品等として、より印象に残る置物を提供できる。なお、上記表示プレート２２及び背景プレート２４に文字を表示する構成としても良い。
【００４８】
また、上記蓋部本体３９は、透明な素材により形成され、適宜の色彩が着色されていることから、太陽光や、室内の蛍光灯等の光が上記蓋部材に照射された場合、蓋部材に付された色彩が、上記表示プレート及び背景プレートに照射されることから、表示プレート及び背景プレートが蓋部材の色により、鮮やかに浮き上がり、より大きな視覚的効果を得ることができる。
上記置物２０から、表示プレート２２または背景プレート２４を撤去する場合には、図４に示すように、置物２０の背面部３５方向にスライドさせ、開口部２６を開口させる。その後に、表示プレート２２または背景プレート２４を、置物２０の上面部３２方向に引き抜くことで、表示プレート２２または背景プレート２４を撤去することができる。
【００４９】
上記題名表示部３７には、置物のタイトルを表示することができ、記念品等として、より印象に残る置物を提供できる。
【産業上の利用可能性】
【００５０】
本製品は、写真立て、記念楯等の置物に適用可能である。
【符号の説明】
【００５１】
１０  第一の実施の形態における表示プレート
１１  被写体イメージ部
１２  基板部
１３  枠フレーム部
１４  支持柱部
１５a 上方隅部
１５b 上方隅部
１５c 下方隅部
１５d 下方隅部
１６  下端部
１７  脚部
１８  文字
１９  花模様
２０  第二の実施の形態における置物
２１  透明な基板部
２２  表示プレート
２３  背景部
２４  背景プレート
２５  前面開口部
２６  開口部
２７  プレート配置部
２７a  プレート配置部
２７b  プレート配置部
２７c  プレート配置部
２８  側面部
２９  底面部
３０  側面部
３１  溝部
３２  上面部
３３  蓋部
３４  上端部
３５  前面部
３６  下端部
３７  題名表示部
３８  把持部
３９  蓋本体部
４０  溝部
４１  段差部
４２  背面部
４３  一般面
４４  置物本体
【手続補正３】
【補正対象書類名】図面
【補正対象項目名】図１
【補正方法】変更
【補正の内容】
【図１】
0003178026.tif 000008
【手続補正４】
【補正対象書類名】図面
【補正対象項目名】図２
【補正方法】変更
【補正の内容】
【図２】
0003178026.tif 000009